(57)【要約】      （修正有）【課題】必要な部分のみを修理できるようにした、ホタテ貝を収穫するために使用するホタテ桁網を提供する。【解決手段】爪体１０の前側に牽引アーム２０を取り付け、爪体の後ろ側に網を取り付け、牽引アームを船舶で牽引して、爪体で海底を引っ掻きながら、海底のホタテ貝を網体に収納するホタテ桁網であって、幅方向の水平フレーム１１に対して直角に突出し、先端に爪先１６を持つ複数の爪軸１３を備えた爪体と、爪体の複数の爪軸の内の所定の２か所の爪軸の前方に設けた牽引アーム連結部材に着脱自在に取付けた２本の牽引アームとを備えた。２本の牽引アームの先端が連結アーム４０で着脱自在に連結された。【選択図】図１
0003227945.tif 000002
【実用新案登録請求の範囲】
【請求項１】
爪体の前側に牽引アームを取り付け、前記爪体の後ろ側に網を取り付け、前記牽引アームを船舶で牽引して、前記爪体で海底を引っ掻きながら、海底のホタテ貝を網体に収納するホタテ桁網において、
前記爪体と牽引アームを着脱自在にしたことを特徴とするホタテ桁網。
【考案の詳細な説明】
【技術分野】
【０００１】
本考案はホタテ貝を収穫するために使用するホタテ桁網に関するものである。
【背景技術】
【０００２】
図９は、引用文献１〜３に開示する、ホタテ貝を収穫するために使用するホタテ桁網を示すものである。当該ホタテ桁網は、海底に沈められ全体を船で牽引して使用するので、以下牽引されている状態で説明する。
【０００３】
水平フレーム１１に対して複数の爪１２を備えた爪体１０が牽引方向に対して、前記爪１０が斜め後方に向くように固定される。当該爪体１０に対して牽引アーム２０が、前記水平フレーム１１の左右であって前方方向に、略水平に固定される。前記爪体１０の後方には前記水平フレーム１１の幅で、前記複数の爪１２に対して開口するとともに、後方に所定長さの袋状の網３０が取り付けられる。更に、当該網３０の後方に前記水平フレーム１１の幅の棒上の重り５０が綱等で牽引される構成となっている。
【０００４】
上記の構成のホタテ桁網は、爪体１０の爪１２が海底に向くように海底に沈められ、前記牽引アーム２０に対してワイヤーあるいはくさり等をかけて、船で牽引するのであるが、このとき、前記各爪１２が海底を引っ掻き、生息するホタテ貝を掻き起こし、掻き起こされたホタテ貝は網３０に収容されることになる。尚、網３０は船の牽引によって、重り体５０に常時後方に引かれて、前記ホタテ貝の収容を円滑にするようになっている。
【先行技術文献】
【特許文献】
【０００５】
【特許文献１】実公平7-26934号公報
【特許文献２】特許3400753号公報
【特許文献３】特許378560号公報
【考案の概要】
【考案が解決しようとする課題】
【０００６】
上記ホタテ桁網は、幅１．５ｍ〜２メートル、長さ２ｍ〜３ｍに及び複数人でなければ簡単に移動させることは困難である。しかしながら、海水の中で使用を継続すると、劣化が激しく、補修を必要とする場合がある。ところが、網３０を外したとしても爪体１０と牽引アーム２０だけで相当の重量があり、補修のためには、実際の補修費用の他に運送コストも嵩むことになる。
【０００７】
本考案は上記従来の事情を鑑みて提案されたものであって、爪体と牽引アームを着脱可能にして、必要な部分のみを修理できるようにしたホタテ桁網を提供することを目的とする。
【課題を解決するための手段】
【０００８】
本考案は、爪体の前側に牽引アームを取り付け、前記爪体の後ろ側に網を取り付け、前記牽引アームを船舶で牽引して、前記爪体で海底を引っ掻きながら、ホタテ貝を網体に収納するホタテ桁網を前提とする。
【０００９】
前記ホタテ桁網において、爪体と牽引アームを着脱自在にした。
【考案の効果】
【００１０】
上記のように構成することによって、ホタテ桁網を簡単に分解することができ、保守や補修が容易となる。
【図面の簡単な説明】
【００１１】
【図１】爪体と牽引アームの図である。
【図２】牽引アームの分解図である。
【図３】補強アームの分解図である。
【図４】連結アームの分解図である。
【図５】爪体と牽引アームの連結構造を示す図。
【図６】牽引アームの連結を示す図である。
【図７】円環と水平フレームとの関係を示す図である。
【図８】補強アームと、連結アームの関係を示す図である。
【図９】従来のホタテ桁網の全体を示す図である。
【考案を実施するための形態】
【００１２】
図１は、後方（網体の方向）から見た爪体と牽引アームを示している。前記したように、ホタテ桁網は、爪体と牽引アームと網より構成されが、図１では、網を外した状態で、かつ、各爪を海底に対して直角に立てた状態を示しているので、実際の使用状態（図７）より、牽引アームが立ち上がった状態となっている。
【００１３】
爪体１０は水平フレーム１１の軸に対して、直角に複数の爪軸１３が突出され、その先端に爪先１６が固定され、爪１２を構成する。当該爪体１０に対して牽引アーム２０が前記爪軸１３の突出方向から９０°よりやや開いた角度（図７参照）で、前記水平フレーム１１の両側（外から２番目の爪軸１３）に固定される。
【００１４】
前記各牽引アーム２０と爪体１０との固定部は以下のように着脱できるようになっている。まず、牽引アーム２０は、図２に示すように、一本の棒材２２を両端が略同じ位置になるように中央部で折り返してやや歪んだ長方形状となっており、前記両端部を所定の幅を持たせて板体２４で連結している。
【００１５】
一方、図１に示すように、前記爪体１０は、前記水平フレーム１１から直角に海底側に伸びる爪軸１３が複数固定され、その先端に爪先１６がビス止めされるようになっている。前記爪軸１３は当然爪先１６の数と同じだけ水平フレーム１１に固定されることになる。
【００１６】
図５に示すように、前記爪軸１３のうちの、所定の２つ（図１では外から２番目）の爪軸１３の裏側（牽引アームの側であって図１の反対側）には、２枚の挟み板１７ａ、１７ｂが所定の間隔をおいて固定される。この状態で、前記牽引アーム２０の板体２４が前記挟み板１７ａ、１７ｂの間隔に差し込まれ、ボルト止めされる。これによって、左右２本の牽引アーム２０が、牽引方向に向かって固定されたことになる。
【００１７】
図１、図２に示すように、前記牽引アーム２０の先端部には、内側に水平に突き出す連結板２５が固定されており、一方、図６に示すように、連結アーム４０の両端には、前記連結板２５を上下から挟み込む２枚の挟み板４１ａ、４１ｂが固定されている。この状態で、前記連結板２５を挟み板４１ａ、４１ｂで挟み込んで、両者をボルト止めする。これによって、左右の牽引アーム２０が連結アーム４０で連結されたことになる。
【００１８】
前記牽引アーム２０には、船での牽引時に強い力が掛かかるので、更なる補強が必要である。そこで、牽引アーム２０の先端側（棒材２２の折り返し付近）に取り付け板２６を水平で外側に張り出しておく。更に、前記水平フレーム１１の両端（従って、牽引アーム２０の爪軸１３への取り付け位置より外側）に、後述する補強アーム３１に符合する内径を有する円環１９を固定しておく。
【００１９】
補強アーム３１の先端部には、前記取付け板２６に対応する受け板３６を固定しておく。また図３、図８に示すように、中央下寄りの位置に、当該補強アーム３１に対して回転自在に先端にフック３８を設けた連結アーム３７を取り付けておく。
【００２０】
上記の状態で、図１、図７に示すように補強アーム３１の下端を前記水平フレーム１１に固定した円環１９に差し込み、かつ、前記取付け板２６と、前記受け板３６を合わせて、両者をボルト止めする。更に、前記連結アーム３７の先端のフック３８を牽引アーム２０の上側の棒材２２に掛ける。これによって、前記爪軸１３の部分でのみ爪体１０と連結している牽引アーム２０に対して補強アーム３１が強固な支えとなる。
【００２１】
上記は、ホタテ桁網の爪体と牽引アーム部分の組み立て手順を以て全体の構造を説明したことになるが、このことは逆に各部の連結を外して、爪体と牽引アーム部とを分解できることを意味する。すなわち、当該、爪体と牽引アームは後方に網を付けて海底を引き回されるのであるから、相当の荷重がかかり、海水による腐食も伴って破損や損傷が生じやすい。破損や損傷を生じたときには、修理をする必要があるが、上記のように各部がボルトで連結されているので、必要な個所だけ外して修理することができることになる。
【産業上の利用可能性】
【００２２】
以上説明したように、本考案はホタテ桁網において、爪部とアーム部を分解することができるので、保守・修理に労力や手数が少なくなり、ホタテ業界に極めて有益である。
【符号の説明】
【００２３】
１０  爪体
１１  水平フレーム
１３  爪軸
１６  爪
１７ａ、１７ｂ  挟み板
１９  円環
２０  牽引アーム
２２  棒材
２４  板体
２５  連結板
２６  取り付け板
３０  網体
３１  補強アーム
３６  受け板
３７連結アーム
３８  フック
４０  連結アーム
４１ａ、４１ｂ  挟み板
５０  重り
【図１】
0003227945.tif 000003
【図２】
0003227945.tif 000004
【図３】
0003227945.tif 000005
【図４】
0003227945.tif 000006
【図５】
0003227945.tif 000007
【図６】
0003227945.tif 000008
【図７】
0003227945.tif 000009
【図８】
0003227945.tif 000010
【図９】
0003227945.tif 000011
【手続補正書】
【提出日】令和2年6月23日(2020.6.23)
【手続補正１】
【補正対象書類名】実用新案登録請求の範囲
【補正対象項目名】全文
【補正方法】変更
【補正の内容】
【実用新案登録請求の範囲】
【請求項１】
爪体の前側に牽引アームを取り付け、前記爪体の後ろ側に網を取り付け、前記牽引アームを船舶で牽引して、前記爪体で海底を引っ掻きながら、海底のホタテ貝を網体に収納するホタテ桁網において、 幅方向の水平フレームに対して直角に突出し、先端に爪先を持つ複数の爪軸を備えた前記爪体と、 前記爪体の複数の爪軸の内の所定の２か所の爪軸の前方に設けた牽引アーム連結部材に着脱自在に取付けた２本の前記牽引アームとを備えたことを特徴とするホタテ桁網。
【請求項２】
前記２本の牽引アームの先端が連結アームで着脱自在に連結された請求項１に記載のホタテ桁網。
【請求項３】
前記水平フレームの両端に設けた円環に補強アームの下端を差し込み、当該補強アームの先端と前記牽引アームの先端側とを着脱自在に固定した請求項１に記載のホタテ桁網。
【手続補正２】
【補正対象書類名】明細書
【補正対象項目名】０００８
【補正方法】変更
【補正の内容】
【０００８】  本考案は、爪体の前側に牽引アームを取り付け、前記爪体の後ろ側に網を取り付け、前記牽引アームを船舶で牽引して、前記爪体で海底を引っ掻きながら、ホタテ貝を網体に収納するホタテ桁網を前提とする。 前記爪体は、幅方向の水平フレームに対して直角に突出し、先端に爪先を持つ複数の爪軸を備える。２本の前記牽引アームが、前記爪体の複数の爪軸の内の所定の２か所の爪軸の前方に設けた牽引アーム連結部材に着脱自在に取付けられる。
【手続補正３】
【補正対象書類名】明細書
【補正対象項目名】０００９
【補正方法】変更
【補正の内容】
【０００９】 前記２本の牽引アームの先端が連結アームで着脱自在に連結される。また、前記水平フレームの両端に設けた円環に補強アームの下端を差し込み、当該補強アームの先端と前記牽引アームの先端側とを着脱自在に固定される。